(57)【要約】  【課題】  塩素除去・脱臭機能を有する浴槽配管システムを提供すること。  【解決手段】  浴槽２内の低温水を給湯器４に導出させるために給湯器４および浴槽内を連通させるよう形成された低温水連通流路３と、給湯器４で沸かされた高温水を浴槽内に導入させるために給湯器４および浴槽内を連通させるよう形成された高温水連通流路５とを有する浴槽配管システムにおいて、吸込み兼吐出用部材２が浴槽側壁２ａに取り付けられており、その部材本体７は、浴槽外側に前記両連通流路３，５の一部を構成する配管２１，２２との接続口１２，１３をそれぞれ有し、浴槽内側に前記低温水の吸込口１９および前記高温水の吐出口２０を有する一方、前記吸込口１９に連通する開口２４および吐出口２０に連通する開口ｆを備え、前記部材本体７の浴槽内側を覆うカバー体２３が設けられ、さらに、このカバー体２３には前記吐出口２０に対応する前記開口ｆに高温水を浄化するためのろ材３４が設けられている。【選択図】        図１
2006170574.tif 000002
【特許請求の範囲】
【請求項１】
浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、少なくとも低温水連通流路および高温水連通流路のいずれか一方に、低温水、高温水をそれぞれ浄化するためのろ材を設けてあることを特徴とする浴槽配管システム。
【請求項２】
浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、吸込み兼吐出用部材が浴槽側壁に取り付けられており、その部材本体は、浴槽外側に前記両連通流路の一部を構成する配管との接続口をそれぞれ有し、浴槽内側に前記低温水の吸込口および前記高温水の吐出口を有する一方、前記吸込口に連通する開口および吐出口に連通する開口を備え、前記部材本体の浴槽内側を覆うカバー体が設けられ、さらに、このカバー体には前記吐出口に対応する前記開口に高温水を浄化するためのろ材が設けられていることを特徴とする浴槽配管システム。
【請求項３】
浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、吸込み兼吐出用部材が浴槽側壁に取り付けられており、その部材本体は、浴槽外側に前記両連通流路の一部を構成する配管との接続口をそれぞれ有し、また、浴槽内側に前記低温水の吸込口および前記高温水の吐出口を有し、さらに、前記高温水連通流路の途中に高温水を浄化するためのろ材を設けてあることを特徴とする浴槽配管システム。
【請求項４】
浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、吸込み用部材および吐出用部材が浴槽側壁に取り付けられており、前記吸込み用部材は、浴槽外側に前記低温水連通流路の一部を構成する配管との接続口を有するとともに、浴槽内側に前記低温水の吸込口を有し、また、前記吐出用部材は、浴槽外側に前記高温水連通流路の一部を構成する配管との接続口を有するとともに、浴槽内側に前記高温水の吐出口を有する一方、前記吐出口にキャップが設けられ、さらに、このキャップには高温水を浄化するためのろ材が設けられていることを特徴とする浴槽配管システム。
【請求項５】
水栓から供給される水を給湯器に導出させる湯張り用の水連通流路を設け、この湯張り用の水連通流路に水を浄化するためのろ材を設けてある請求項１〜請求項４のいずれかに記載の浴槽配管システム。
【請求項６】
ろ材は着脱自在に設けられる請求項１〜請求項５のいずれかに記載の浴槽配管システム。
【発明の詳細な説明】
【技術分野】
【０００１】
この発明は、浴槽配管システムに関するものである。
【背景技術】
【０００２】
追いだき用の浴槽配管システムとして、浴槽内の低温水を浴槽外側に設けた給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有するものがある。このシステムには吸込み兼吐出用部材が浴槽側壁に取り付けられており、その部材本体は、浴槽外側に前記両連通流路の一部を構成する配管との接続口をそれぞれ有し、浴槽内側に前記低温水連通流路の吸込口および前記高温水連通流路の吐出口を有し、さらに、前記部材本体の浴槽内側を覆うカバー体が設けられている。このカバー体は、前記吸込口に連通する開口および吐出口に連通する開口を備えている。
【発明の開示】
【発明が解決しようとする課題】
【０００３】
しかし、この浴槽配管システムでは、追いだきを行うと塩素成分が蒸発して異臭を放すことがあり、異臭防止のための対策が望まれていた。
【０００４】
この発明は、上述の事柄に留意してなされたもので、その目的は、塩素除去・脱臭機能を有する浴槽配管システムを提供することである。
【課題を解決するための手段】
【０００５】
上記目的を達成するために、この発明の浴槽配管システムは、浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、少なくとも低温水連通流路および高温水連通流路のいずれか一方に、低温水、高温水をそれぞれ浄化するためのろ材を設けてあることを特徴としている（請求項１）。
【０００６】
また、この発明は別の観点から、浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、吸込み兼吐出用部材が浴槽側壁に取り付けられており、その部材本体は、浴槽外側に前記両連通流路の一部を構成する配管との接続口をそれぞれ有し、浴槽内側に前記低温水の吸込口および前記高温水の吐出口を有する一方、前記吸込口に連通する開口および吐出口に連通する開口を備え、前記部材本体の浴槽内側を覆うカバー体が設けられ、さらに、このカバー体には前記吐出口に対応する前記開口に高温水を浄化するためのろ材が設けられていることを特徴とする浴槽配管システムを提供する（請求項２）。
【０００７】
また、この発明は更に別の観点から、浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、吸込み兼吐出用部材が浴槽側壁に取り付けられており、その部材本体は、浴槽外側に前記両連通流路の一部を構成する配管との接続口をそれぞれ有し、また、浴槽内側に前記低温水の吸込口および前記高温水の吐出口を有し、さらに、前記高温水連通流路の途中に高温水を浄化するためのろ材を設けてあることを特徴とする浴槽配管システムを提供する（請求項３）。
【０００８】
更に、この発明は、浴槽内の低温水を給湯器に導出させるために給湯器および浴槽内を連通させるよう形成された低温水連通流路と、給湯器で沸かされた高温水を浴槽内に導入させるために給湯器および浴槽内を連通させるよう形成された高温水連通流路とを有する浴槽配管システムにおいて、吸込み用部材および吐出用部材が浴槽側壁に取り付けられており、前記吸込み用部材は、浴槽外側に前記低温水連通流路の一部を構成する配管との接続口を有するとともに、浴槽内側に前記低温水の吸込口を有し、また、前記吐出用部材は、浴槽外側に前記高温水連通流路の一部を構成する配管との接続口を有するとともに、浴槽内側に前記高温水の吐出口を有する一方、前記吐出口にキャップが設けられ、さらに、このキャップには高温水を浄化するためのろ材が設けられていることを特徴とする浴槽配管システムを提供する（請求項４）。
【発明の効果】
【０００９】
請求項１の発明では、浴槽内の低温水を給湯器に導出させるために給湯器および浴槽内を連通させるよう低温水連通流路を設け、給湯器で沸かされた高温水を浴槽内に導入させるために給湯器および浴槽内を連通させるよう高温水連通流路を設け、少なくとも低温水連通流路および高温水連通流路のいずれか一方に、低温水、高温水をそれぞれ浄化するためのろ材を浄化するためのろ材を設けたので、例えば粒状活性炭のようなろ材用いることにより、塩素除去および脱臭された浄化水を得ることができ、これを浴槽で使用できる。
【００１０】
請求項２の発明では、浴槽側壁に取り付けられた吸込み兼吐出用部材の部材本体の浴槽内側に、低温水の吸込口および高温水の吐出口を設け、前記部材本体の浴槽内側を覆うカバー体を設け、このカバー体に前記吸込口に連通する開口および吐出口に連通する開口を設け、さらに、このカバー体には前記吐出口に対応する前記開口に高温水を浄化するためのろ材を設けたので、例えば粒状活性炭のようなろ材用いることにより、塩素除去および脱臭された浄化水を得ることができ、これを浴槽で使用できる。
【００１１】
また、請求項３の発明では、浴槽側壁に取り付けられた吸込み兼吐出用部材の部材本体の浴槽外側に低温水連通流路および高温水連通流路の一部を構成する配管との接続口をそれぞれ設け、浴槽内側に前記低温水の吸込口および前記高温水の吐出口を設け、さらに、前記高温水連通流路の途中に高温水を浄化するためのろ材を設けたので、例えば粒状活性炭のようなろ材用いることにより、塩素除去および脱臭された浄化水を得ることができる。
【００１２】
また、請求項４の発明では、吸込み用部材および吐出用部材を浴槽側壁に設け、前記吸込み用部材の浴槽外側に前記低温水連通流路の一部を構成する配管との接続口を設け、浴槽内側に前記低温水の吸込口を設け、また、前記吐出用部材の浴槽外側に前記高温水連通流路の一部を構成する配管との接続口を設け、浴槽内側に前記高温水の吐出口を設け、この吐出口にキャップを設け、さらに、このキャップに高温水を浄化するためのろ材を設けたので、例えば粒状活性炭のようなろ材用いることにより、塩素除去および脱臭された浄化水を得ることができる。
【発明を実施するための最良の形態】
【００１３】
以下にこの発明の実施形態について説明する。なお、それによって、この発明は限定されるものではない。図１〜図４は、ユニットバスに適用したこの発明の第１の実施の形態を示す。この発明と従来例との相違点は図３に示すように、浴槽側壁２に取り付けられる吸込み兼吐出用部材の部材本体７の浴槽内側に高温水連通流路５を流れる高温水の吐出口２０を設け、この吐出口２０に連通する開口ｆを備えたカバー体２３で前記部材本体７の浴槽内側を覆うよう構成された浴槽配管システムにおいて、カバー２３体の前記吐出口２０に対応する前記開口ｆに高温水を浄化するためのろ材３４を設けた点である。
【００１４】
図１〜図４において、１はユニットバス（以下、浴槽という）２の側壁２ａに取り付けられた吸込み兼吐出用部材で、浴槽２内に残った低温水を吸込む機能と、給湯器で沸かされた高温水を吐出する機能とを兼用するものである。３は追いだき用の低温水連通流路で、浴槽２内の低温水を浴槽２外側に設けた給湯器４に導出させるために給湯器４および浴槽２内を連通させるよう形成されている。矢印Ａは低温水の流れを示す。５は追いだきまたは湯張り用の高温水連通流路で、給湯器４で沸かされた高温水を浴槽２内に導入させるために給湯器４および浴槽２内を連通させるよう形成されている。矢印Ｂは高温水の流れを示す。６は側壁２ａに形成された吸込み兼吐出用部材取り付け用の穴で、吸込み兼吐出用部材１の部材本体７が嵌込まれる。前記部材本体７は、フランジ８付きの筒状部９と、ディスク状のガイド部１０と、穴６に挿通される雄ねじ１１ａを有する雄ねじ部１１とより主としてなる。そして、筒状部９、ガイド部１０および雄ねじ部１１はそれぞれ内部に前記両水連通流路３，５の一部が形成されている。筒状部９は側壁２ａを介して浴槽外側に位置する。ガイド部１０と雄ねじ部１１は側壁２ａを介して浴槽内側に位置する。筒状部９は、前記両連通流路３，５の一部を構成する可撓管（配管）２１，２２との接続口１２，１３をそれぞれ有する。１５，１６，１７および１８はいずれもシール部材で、平シート、平パッキン、Ｏリングおよびフランジ８に嵌込まれるパッキンである。そして、雄ねじ部１１のフランジ１１ｂにガイド部１０が嵌込まれてビス止めされ、シール部材１５，１６，１７，１８をセットするとともに、雄ねじ１１ａを筒状部９の雌ねじ１４に螺合することにより、部材本体７が浴槽側壁２ａに取り付けられる。
【００１５】
１９は低温水の吸込口、２０は高温水の吐出口である。すなわち、ガイド部１０の正面ａに設けた複数の吸込口１９から低温水が吸込まれる一方、ガイド部１０の周面ｂに設けた吐出口２０から高温水が吐出するよう部材本体７は構成されている。ここまでの構成は従来例と何ら変わることはない。以下、この発明の特徴的構成について説明する。
【００１６】
この実施の形態では浴槽内に流出する高温水の吐出口２０に高温水を浄化するためのろ材３４を設けている。すなわち、吸込み兼吐出用部材１は、前記部材本体７と、部材本体７の浴槽内側を覆うカバー体２３より構成される。前記カバー体２３は、有底筒状で、底面部３０に前記吸込口１９に連通する複数の開口２４を有し、周面部３１に箱状のろ材収容部３２が形成されている。開口２４は適宜の目合いを有するネット２４ａで覆われている。前記ろ材収容部３２は、周面ｍから径方向に円弧状に突出形成された形状をなしており、ａで示す円弧状の面部と、ｂ，ｃで示す矩形状の面部と、ｄで示す、周面ｍに沿った湾曲面部と、面部ａに対向する位置に形成したろ材収容のための湾曲形状の穴ｅと、湾曲面部ｄに対向する周面ｍの位置に形成した連通用の開口ｆとを有する。そして、この連通用の開口ｆが吐出口２０に連通するようカバー体２３によってガイド部１０が覆われる。さらに、湾曲面部ｄは、連通用の開口ｆを介して吐出口２０に連通する開口３６を有する。開口３６は適宜の目合いを有するネット３７で覆われている。３３は、ろ材３４を保持するケースで、ろ材収容部３２に着脱自在に装着されるよう構成されている。ろ材３４としては、塩素除去・脱臭機能を有する粒状活性炭が好ましい。
【００１７】
なお、粒状活性炭以外に以下の挙げるろ材も使用できる。
（１）麦飯石：
Ａ．粉末法Ｘ線解析法で分析した結果、２５，０００種以上の物質を含むと推測され、一般的に分析されているミネラルの他に、有効ミネラルを含有しているものと推測されている。
Ｂ．３２５メッシュの微粉末にしても、サンゴ礁か海綿のように多孔性という性質を持ち続ける。
Ｃ．ジルコンが多量に含有されている。そのため、α線が存在し生物に良影響を与える働きがある。
Ｄ．強い吸着力・多孔性で表面積が広くなっていることと、長石の部分が風化してカオリン状になっている。よって、吸着作用・イオン交換作用がいつまでも強く残る。
Ｅ．ミネラルを溶出し、水質を調整する。
（２）サンゴ（コーラルサンド）：
Ａ．多孔性で、成分の大半が炭酸カルシウム。
Ｂ．その他、多種のミネラルを含む。
Ｃ．水の透水性と保水性に優れ、弱アルカリ性にする。
（３）トルマリン（電気石、自然の状態で唯一電気を発生する石）：
Ａ．ブラジルで採れる天然石。
Ｂ．イオンを持っている。多孔性で、ミネラルを含み、マイナスイオンを発生する。
（４）ガイアストン（自然が生んだ波動石）：
Ａ．多孔性で。一般的には環境活性素材として、集合住宅の浄化槽、植物栽培用の土や、海水、河川、生活用水の浄化等に使用されている。
Ｂ．水道水を浄化して抗酸化水に転換させる。カルキ等も分解する。
Ｃ．遠赤外線放射量が極めて高い。
（５）しみず（龍蘭石）：
Ａ．麦飯石の成分をベースに遠赤外線発生セラミックが配合されている。
Ｂ．カリウム、カルシウム、鉄等のアルカリ性のイオンを要する。
（６）磁石：
Ａ．ランダムな水分子の配列を均一にする。
（７）微粉末の麦飯石やサンゴ等が配合されたセラミックボール：
なお、この発明で用いることのできる粒状活性炭以外のろ材は、前記（１）〜（７）で示したろ材に限定されるものではない。
【００１８】
そして、前記ケース３３は、高温水が吐出口２０から連通用の開口ｆを通って保持されているろ材３４に向けて吐出するよう多数の開口４０を有する。なお、図３に示すように、従来例で用いているカバー体２３’は、前記吐出口２０に連通する開口２５を備えているだけであった。
【００１９】
４１は、湯張り用の水連通流路で、水栓（図示せず）から供給される水を浴槽２外側に設けた給湯器４’に導出させるために給湯器４’および前記水栓の蛇口を連通させるよう形成されている。矢印Ｃは前記水栓から供給される水の流れを示す。４２は給湯器４，４’を収容するボックス、４３は給湯器４’の直下流側に設けた逆止弁、４４は給湯器４の直下流側に設けた逆止弁、４５は給湯器４，４’に供給されるガス流路である。矢印Ｄはそのガスの流れを示す。  
【００２０】
而して、追いだき用のスイッチをオンにすると、低温水連通流路３を通った低温水が給湯器４で沸かされて高温水となり、この高温水が高温水連通流路５を経て高温水の吐出口２０に至り、高温水が吐出口２０から連通用の開口ｆを介してろ材３４を通り、浄化された高温水が浴槽２に至る。矢印Ｂ’は浄化された高温水の流れを示す。この動作が繰り返される。そして、ろ材３４とこれを保持するケース３３を新しいものに代えるだけでメンテナンスが行えるので、使用勝手がよい。
【００２１】
また、湯張り用のスイッチをオンにすると、水連通流路４１を通った水が給湯器４’で沸かされて高温水となり、この高温水が高温水連通流路５を経て高温水の吐出口２０に至り、高温水が吐出口２０から連通用の開口ｆを介してろ材３４を通り、浄化された高温水が浴槽２に至る。
【００２２】
なお、この実施の形態では、高温水連通流路５の最下流側に高温水を浄化するためのろ材３４を設けたものを示したが、この発明では、ろ材３４を高温水連通流路５の途中に設けてもよく、また、低温水連通流路３の最上流側である吸込口１９に設けてもよく、また、ろ材３４を低温水連通流路３の途中に設けてもよく、また、湯張り用の水連通流路４１にろ材３４を設けてもよい。
【００２３】
図５は、高温水連通流路４の途中に高温水を浄化するためのろ材３４を設けたこの発明の第２の実施の形態を示す。なお、図５において、図１〜図４に示した符号と同一のものは、同一または相当物である。
【００２４】
この実施の形態では、筒状のろ材３４が筒状のカートリッジケース５０に収容されており、高温水連通流路４に設けた設置部５１にねじ止めされる。この場合も、ろ材３４とこれを保持するカートリッジケース５０を新しいものに代えるだけでメンテナンスが行えるので、使用勝手がよい。            
【００２５】
図６は、吸込み用部材６０および吐出用部材６１をそれぞれ浴槽側壁２ａに別々に取り付けて追いだきが行えるようにしたこの発明の第３の実施の形態を示す。なお、図６において、図１〜図５に示した符号と同一のものは、同一または相当物である。
この実施の形態では、高温水連通流路５を流れる高温水の吐出口６７に高温水を浄化するためのろ材３４を設けている。すなわち、吸込み用部材６０の浴槽外側に低温水連通流路３の一部を構成する可撓管（配管）６２との接続口６３を設け、浴槽内側に前記低温水連通流路３を流れる低温水の吸込口６４を設け、また、前記吐出用部材６１の浴槽外側に前記高温水連通流路５の一部を構成する可撓管（配管）６５との接続口６６を設け、浴槽内側に前記高温水連通流路５を流れる高温水の吐出口６７を設け、この吐出口６７にキャップ６８を設け、さらに、このキャップ６８に高温水を浄化するためのろ材３４を設けている。キャップ６８は、板部材７４を介してビス７０によって吐出用部材６１に着脱自在に装着される。
【００２６】
なお、この実施の形態でも、ろ材３４を高温水連通流路５の途中に設けてもよく、また、低温水連通流路３の最上流側である吸込口６４に設けてもよく、また、ろ材３４を低温水連通流路３の途中に設けてもよい。
【図面の簡単な説明】
【００２７】
【図１】この発明の第１の実施の形態を示す構成説明図である。
【図２】上記実施の形態を示す斜視図である。
【図３】上記実施の形態を示す要部斜視図である。
【図４】上記実施の形態を示す要部分解斜視図である。
【図５】この発明の第２の実施の形態を示す構成説明図である。
【図６】この発明の第３の実施の形態を示す構成説明図である。
【符号の説明】
【００２８】
１                  吸込み兼吐出用部材
２                  浴槽
２ａ                浴槽側壁
３                  低温水連通流路
４                  給湯器
５                  高温水連通流路
７                  部材本体
１２，１３          接続口
１９                吸込口
２０                吐出口
２１，２２          配管
２３                カバー体
２４，ｆ            開口
３４                ろ材
【図１】
2006170574.tif 000003
【図２】
2006170574.tif 000004
【図３】
2006170574.tif 000005
【図４】
2006170574.tif 000006
【図５】
2006170574.tif 000007
【図６】
2006170574.tif 000008